(57)【要約】      （修正有）【課題】保香性に優れ、容器に成形する為に必要なヒートシール性及び包装積層材料を効率的に製造するに必要な溶融押出しラミネート可能特性を備えることができる包装積層材料を提供する。【解決手段】食品用積層包装材は、熱可塑性樹脂最外層、紙基材層及び、シーラント最内層を含み、シーラント最内層が、テレフタル酸と、エチレングリコール及びスピログリコールとの縮重合によるＰＥＴポリマーからなり、このポリマーがエチレングリコールとスピログリコールとのモル比９０〜５０／１０〜５０を有し、ヒートシール性及び溶融押出しラミネート可能特性を有し、熱可塑性樹脂最外層も、テレフタル酸と、エチレングリコール及びスピログリコールとの縮重合によるＰＥＴポリマーからなり、ヒートシール性及び溶融押出しラミネート可能特性を有する。【選択図】なし【特許請求の範囲】
【請求項１】
熱可塑性樹脂最外層、紙基材層及び、シーラント最内層を含む包装積層材料であって、
該シーラント最内層が、テレフタル酸又はジメチレンテレフタレートと、エチレングリコール及びスピログリコールとの重合によるＰＥＴポリマーからなり、該ポリマーがエチレングリコールとスピログリコールとのモル比９０〜５０／１０〜５０を有し、ヒートシール性及び溶融押出しラミネート可能特性を有し、
該熱可塑性樹脂最外層が、テレフタル酸又はジメチレンテレフタレートと、エチレングリコール及びスピログリコールとの重合によるＰＥＴポリマーからなり、該ポリマーがエチレングリコールとスピログリコールとのモル比９０〜５０／１０〜５０を有し、ヒートシール性及び溶融押出しラミネート可能特性を有する、
ことを特徴とする包装積層材料。
【発明の詳細な説明】
【技術分野】
【０００１】
本発明は、ジュースや牛乳などの液体食品などを充填する紙製包装容器に用いる包装積層材料に関する。
【背景技術】
【０００２】
牛乳、ジュース、ミネラルウォーターなどの飲料、流動食品などの紙包装容器は、例えば、低密度ポリエチレン（ＬＤＰＥ）／印刷インキ層／紙基材層（繊維質キャリア層）／ＬＤＰＥ（接着用押出ラミネート層）／アルミニウム箔（ガスバリア層）／ＬＤＰＥ／ＬＤＰＥ、ＬＤＰＥ／印刷インキ層／紙基材層／ＬＤＰＥ／ＬＤＰＥ、印刷インキ層／ＬＤＰＥ／紙基材層／ＬＤＰＥ／ＬＤＰＥ、また、ＬＤＰＥ／印刷インキ層／紙基材層／ＬＤＰＥ／アルミニウム箔／ポリエステル（ＰＥＴ）等の積層包装材料から得られる。
【０００３】
積層包装材料は、一般的に、紙基材層の原紙ロールを印刷機に搬入し、原紙面に印刷し印刷済み用紙を再度ロール状に巻き、次いで押出ラミネーターに送り、押出機から溶融ポリオレフィン（例えば、ＬＤＰＥなど）を原紙面に押し出し、原紙の他にガスバリア層（アルミニウム箔など）がある場合、ガスバリア層との間にも溶融ポリオレフィン押し出してラミネート・コーティングを施して製造する。
【０００４】
上記積層包装材料の各々の層は、それぞれが各々の作用・機能を持っている。包装容器の紙の繊維質の基材層には、液密のためのプラスチックコーティングが、この基材層の両側面に設けられていて、水分による浸透から液吸収性繊維質の基材層を効果的に保護する。これらの積層層は、普通、優れたヒートシール性を包装材料に付与し、上述のように、低密度ポリエチレンなどの熱可塑性物質から成っている。
【０００５】
液体食品紙包装容器で用いられる積層材料のポリエチレンは、通常、低密度ポリエチレン（ＬＤＰＥ）であり、特に、高圧法低密度ポリエチレンである。
線形低密度ポリエチレン（ＬＬＤＰＥ）も使用されている。特に、メタロセン触媒を用いて重合したエチレンーαオレフィン共重合体（いわゆる、メタロセンＰＥ、ｍＬＬＤＰＥと称される）は、低温シール性、フイルムの加工性及び分子量分布が狭いことからの衛生性に良好であり、容器に応用できることが知られている。（特許文献２参照）
【０００６】
紙基材層と上記熱可塑性層だけから成っている積層包装材料では、しかしながら、中身製品の品質を維持することが難しい。
中身製品の品質を維持するためには、中身製品の芳香、風味などが包装材料を透過して外部に飛散することを防止する、又はその芳香、風味などを、中身製品と接触する包装材料が吸収することを防止する、若しくは、包装材料から異臭物などが中身製品に染み出しその芳香、風味など阻害することを防止する保香性と、中身製品の品質を阻害する気体(酸素ガスなど)が包装容器の積層材料器壁などを透過して中身製品を保護するガスバリア性が包装材料に必要になり、保香性及びガスバリア性を十分に具える包装材料が好ましい。
包装材料にガスバリア性を付与するガスバリア材としては、例えば、アルミニウム箔、ＥＶＯＨ（エチレンビニルアルコール、すなわち、エチレン−酢酸ビニルランダム共重合体けん化物）、またはPVOH（ポリビニルアルコール）、無機酸化物の蒸着層などの優れた酸素ガス遮断性を持つ材料が既知である。（特許文献１参照）
【０００７】
【特許文献１】特開昭６３−３１２１４３号公報
【特許文献２】特開平７−２６０７９号公報
【発明の開示】
【発明が解決しようとする課題】
【０００８】
シーラント最内層に低密度ポリエチレンを用いると、中身製品の芳香、風味などを、中身製品と接触する包装材料が吸収し、若しくは、包装材料から異臭物などが中身製品に染み出しその芳香、風味など阻害する恐れがある。
本発明は、保香性に優れ、容器に成形する為に必要なヒートシール性及び包装積層材料を効率的に製造するに必要な溶融押出しラミネート可能特性を備えることができる包装積層材料を提供することを目的とする。
【課題を解決するための手段】
【０００９】
この課題を解決する本発明の包装積層材料は、熱可塑性樹脂最外層、紙基材層及び、シーラント最内層を含む包装積層材料であって、
シーラント最内層が、テレフタル酸又はジメチレンテレフタレートと、エチレングリコール及びスピログリコールとの重合によるＰＥＴポリマーからなり、このポリマーがエチレングリコールとスピログリコールとのモル比９０〜５０／１０〜５０を有し、ヒートシール性及び溶融押出しラミネート可能特性を有し、
熱可塑性樹脂最外層が、テレフタル酸又はジメチレンテレフタレートと、エチレングリコール及びスピログリコールとの縮重合によるＰＥＴポリマーからなり、このポリマーがエチレングリコールとスピログリコールとのモル比９０〜５０／１０〜５０を有し、ヒートシール性及び溶融押出しラミネート可能特性を有する、ことを特徴とする。
【発明の効果】
【００１０】
以上の本発明によれば、以下の有利な効果が得られる。
この発明の包装積層材料によれば、最内層が、スピログリコールで変性されたＰＥＴポリマーからなり、ヒートシール性及び溶融押出しラミネート可能特性を有する。
包装積層材料を容器に成形する際に、最内層と他方の最内層とを重ね合わせて加熱することによってシールすることができる。また、ＰＥＴ樹脂からなるので保香性に優れ、中身製品の芳香、風味などを吸収することがなく、若しくは、芳香、風味など阻害することがない。
更に、ＰＥＴポリマーを溶融し包装材料にラミネートして包装積層材料を効率的に製造することができる。
【００１１】
この発明の包装積層材料によれば、熱可塑性樹脂最外層が、スピログリコールで変性されたＰＥＴポリマーからなり、ヒートシール性及び溶融押出しラミネート可能特性を有するので、包装積層材料を容器に成形する際に、最内層と最外層とを重ね合わせて加熱することによってシールすることができる。更に、熱可塑性樹脂最外層のＰＥＴポリマーを溶融し包装材料にラミネートして包装積層材料を効率的に製造することができる。
【発明を実施するための最良の形態】
【００１２】
以下、本発明の実施の形態について説明する。
この発明の包装積層材料の実施形態において、次の層構造の例がある。
ＰＥＴ外層／ＰＥＴ／紙基材層／ＰＥＴ最内層
ＰＥＴ外層／紙基材層／接着性樹脂／ＰＥＴ最内層
ＰＥＴ外層／接着性樹脂／紙基材層／接着性樹脂／ＰＥＴ最内層
ＰＥＴ外層／紙基材層／低密度ポリエチレン層／アルミ箔層／接着性樹脂／ＰＥＴ最内層
ここで、ＰＥＴ外層は、スピログリコールで変性されたＰＥＴポリマーからなり、ヒートシール性及び溶融押出しラミネート可能特性を有する。同様に、また、ＰＥＴ最内層は、スピログリコールで変性されたＰＥＴポリマーからなり、ヒートシール性及び溶融押出しラミネート可能特性を有する。
【００１３】
この発明の包装積層材料の実施形態において、基材層は、紙、合成紙、ポリプロピレンにタルクや炭酸カルシウムなどの無機微細粒子を混ぜたフィルム等との複合紙を含む。
【００１４】
この発明の包装積層材料の実施形態において、シーラント最内層は、テレフタル酸又はジメチレンテレフタレートと、エチレングリコール及びスピログリコールとの縮重合によるＰＥＴポリマーからなり、このポリマーがエチレングリコールとスピログリコールとのモル比９０〜５０／１０〜５０、好ましくは、モル比８５〜７０／１５〜３０を有し、ヒートシール性及び溶融押出しラミネート可能特性を有する。
ここで、スピログリコールは下記化１に示す化学式を有する２価アルコールである。
【化１】
2008119858.tif 000002
重合条件、重合度、添加剤及び配合比などは、ヒートシール性及び溶融押出しラミネート可能特性を満足し、損なわない限りにおいて、適宜、変更選択することができる。
【００１５】
この発明の包装用積層材料において、外層として、ＰＥＴ最内層と同種の樹脂が用いられる。ただし、重合条件、重合度、添加剤及び配合比などを、最内層と異なるものとすることができる。
【００１６】
この発明の包装積層材料の任意の実施形態において、付加的積層材の低密度ポリエチレンとして、狭い分子量分布を有する線形低密度ポリエチレンを用いることもできる。この線形低密度ポリエチレンとしては、例えば、メタロセン触媒を用いて重合した狭い分子量分布を有する線形低密度ポリエチレン（ｍＬＬＤＰＥ）及びその線形低密度ポリエチレンを含有するブレンドポリマーがある。
【００１７】
この発明の包装用積層材料において、その積層方法は、押出し、ドライラミネートなどにより、好ましくは、共押出し工程を含む。また、十分な接着を得るために、上記工程の直前若しくは同時に、層の表面を及び／又は基材の表面を、コロナ、火炎、またはオゾンによる処理などの前処理によって活性化することができる。
【００１８】
なお、本発明は前記実施の形態に限定されるものではなく、本発明の趣旨に基づいて種々変形させることが可能であり、それらを本発明の範囲から排除するものではない。
【産業上の利用可能性】
【００１９】
この発明の包装容器は、ジュースや牛乳などの液体食品などを充填した包装容器に適用することができる。